(57)【要約】【課題】香気成分の変動を把握し易く提示する技術を提供する。【解決手段】香気変動表示方法は、対象物の外観の経時変化を示す第一動画とその対象物に対応する香気成分の量又は比率の経時変化をグラフ形式で示す第二動画とが時系列が対応付けられて再生される表示を出力する。【選択図】図２
2018031882.tif 000002
【特許請求の範囲】
【請求項１】
対象物の外観の経時変化を示す第一動画と該対象物に対応する香気成分の量又は比率の経時変化をグラフ形式で示す第二動画とが時系列が対応付けられて再生される表示を出力する、
香気変動表示方法。
【請求項２】
前記第二動画は、香気成分毎の固有の位置で各香気成分の量又は比率をそれぞれ示すグラフを時系列で動的に変化させる動画である、
請求項１に記載の香気変動表示方法。
【請求項３】
前記対象物は、時間の経過に伴って、形状と色と模様と大きさとの少なくとも一つが変動する芳香植物である、
請求項１又は２に記載の香気変動表示方法。
【請求項４】
前記第二動画は、前記第一動画を形成する前記対象物の画像の撮影期間中に、所定のサンプリング周期で前記対象物から採取された香気を分析して得られた値に基づいて生成されており、
前記表示は、前記第一動画と前記第二動画とを共通の時間軸で同期して再生する、
請求項１から３のいずれか一項に記載の香気変動表示方法。
【請求項５】
前記第二動画は、前記所定のサンプリング周期で得られた前記値及び該値をデータ補間することにより得られた値に基づいて生成されている、
請求項４に記載の香気変動表示方法。
【請求項６】
前記第一動画を形成する隣接フレーム間の撮影時間幅は、前記所定のサンプリング周期の１２０分の１以上に設定される、
請求項４又は５に記載の香気変動表示方法。
【請求項７】
前記第一動画は、時間の経過と共に、花植物が開花する様子又は果実が成熟する様子を示し、
前記第二動画により示される前記香気成分には、その量又は比率が時間の経過と共に周期的に増減しつつ開花又は成熟に向けて増加する傾向を示す香気成分を含む、
請求項１から６のいずれか一項に記載の香気変動表示方法。
【請求項８】
前記表示は、前記第一動画及び前記第二動画を同時に対比可能な状態で一以上の表示装置に出力される、
請求項１から７のいずれか一項に記載の香気変動表示方法。
【請求項９】
前記表示は、再生されている前記第一動画と前記第二動画との少なくとも一方において、対象製品の香気に対応する複数種の香気成分の前記量又は前記比率が前記第二動画で示されるタイミングを提示する、
請求項１から８のいずれか一項に記載の香気変動表示方法。
【請求項１０】
対象物の外観の経時変化を示す第一動画の画像データを取得する第一取得手段と、
前記対象物の香気成分の量又は比率の時系列データを取得する第二取得手段と、
前記時系列データに基づいて、時刻毎に前記香気成分の量又は比率を示すグラフをそれぞれ生成し、生成されたグラフを用いて、前記香気成分の量又は比率の経時変化をグラフ形式で示す第二動画を生成する動画生成手段と、
前記第一動画と前記第二動画とが時系列が対応付けられて再生される表示を表示装置に出力する出力処理手段と、
を備える情報処理装置。
【発明の詳細な説明】
【技術分野】
【０００１】
本発明は、香気の変動を表示する技術に関する。本明細書において「香気」又は「香り」とは、においを意味し、においの良し悪しを限定するものではない。
【背景技術】
【０００２】
現在、香気が賦香された様々な香気製品が流通している。また、香気と映像とを組み合わせて心理的効果を増強させる取り組みも盛んに行われている。
例えば、特許文献１には、香り放出物に香りを放出させつつ、その香りに関連する情報を視覚的又は聴覚的に提示することで、香りへの理解を深める香り教育を効率的に行うことができることが開示されている。
また、特許文献２には、映像と音との少なくとも一方の再生中に、気流により人に空気触覚を提示し、気流提示後に映像等と関連付けられた香りを人に提示する手法が開示されている。この手法によれば、人物接近を検知し空気触覚で人の吸気が自然に誘導され、吸気が生じるタイミングで香りが提示されるため、少ない香料で確実に臭覚提示することができると共に、香り付きのコンテンツを臨場感をもって視聴させることを可能とすることが開示されている。
【０００３】
一方で、各種製品の香気を作るスペシャリストとして「調香師」と呼ばれる人たちがいる。調香師は、香料を調合し、各種製品のイメージを想起させるような香気を作り出す。
【先行技術文献】
【特許文献】
【０００４】
【特許文献１】特開２００８−６５１４７号公報
【特許文献２】特開２０１３−１６２３７８号公報
【発明の概要】
【発明が解決しようとする課題】
【０００５】
上述した各特許文献に開示されるように、現在、香気を効果的に利用する様々な手法が存在する。しかしながら、香気を作り出すのを支援する手法は現状存在しておらず、香気の作成は、調香師の直観及び技術に委ねられることが多い。
香りを賦香した製品を開発する企業では、バラなど芳香植物の香りを分析し、それをモチーフとして製品の香りを作るといった手法が採られるが、芳香植物の香り成分の組成や強度は、時間帯や開花状態によって大きく変動する。このため、放出される香りの変動を分析することで各時間帯の香り成分の組成情報を取得し、この情報を調香師に提供している。
しかし、単に香気成分の組成情報を個別のデータとして数値化するだけでは、或る一時の状態の香料組成を知るだけで、どの段階の香気がよりイメージを想起させるかを比べられず、香気成分の変動を直感的に把握することは困難であり、調香師が動機付け及びインスピレーションを得るための十分な支援にはならない。
【０００６】
本発明は、このような課題に鑑みてなされたものであり、香気成分の変動を把握し易く提示する技術を提供する。
【課題を解決するための手段】
【０００７】
本発明は、上述した課題を解決するために、それぞれ次のような側面を有する。
【０００８】
第一の側面は、香気変動表示方法に関する。第一の側面に係る香気変動表示方法は、対象物の外観の経時変化を示す第一動画とその対象物に対応する香気成分の量又は比率の経時変化をグラフ形式で示す第二動画とが時系列が対応付けられて再生される表示を出力する。
【０００９】
第二の側面は、情報処理装置に関する。第二の側面に係る情報処理装置は、対象物の外観の経時変化を示す第一動画の画像データを取得する第一取得手段と、前記対象物の香気成分の量又は比率の時系列データを取得する第二取得手段と、前記時系列データに基づいて、時刻毎に前記香気成分の量又は比率を示すグラフをそれぞれ生成し、生成されたグラフを用いて、前記香気成分の量又は比率の経時変化をグラフ形式で示す第二動画を生成する動画生成手段と、前記第一動画と前記第二動画とが時系列が対応付けられて再生される表示を表示装置に出力する出力処理手段と、を備える。
【００１０】
なお、本発明の別側面としては、上記第一側面に係る方法をコンピュータに実行させるプログラムであってもよいし、このようなプログラムを記録したコンピュータが読み取り可能な記憶媒体であってもよい。この記録媒体は、非一時的な有形の媒体を含む。
【発明の効果】
【００１１】
上記各側面によれば、香気成分の変動を把握し易く提示する技術を提供することができる。
【図面の簡単な説明】
【００１２】
【図１】本実施形態に係る香気変動表示方法を示すフローチャートである。
【図２】本実施形態における香気変動表示の例を示す図である。
【図３】本実施形態に係る情報処理装置のハードウェア構成例を概念的に示す図である。
【図４】本実施形態に係る情報処理装置の処理構成例を概念的に示す図である。
【図５】変形例における香気変動表示を示す図である。
【図６】採取された香気成分の実測値の時系列データを示す表である。
【図７Ａ】本実施例における棒グラフのモーショングラフとバラの外観動画との同時再生の表示を示す図である。
【図７Ｂ】本実施例における棒グラフのモーショングラフとバラの外観動画との同時再生の表示を示す図である。
【図８】本実施例におけるバブルチャートのモーショングラフとバラの外観動画との同時再生の表示を示す図である。
【図９】比較例としての香気成分値の一覧表（図６の表）とバラの花の外観動画とが並ぶ表示（タイプ２）を示す図である。
【図１０】比較例としての香気成分値の折れ線グラフとバラの花の外観動画とが並ぶ表示（タイプ４）を示す図である。
【図１１】調香師の評価結果を示す図である。
【発明を実施するための形態】
【００１３】
以下、本発明の実施の形態について説明する。なお、以下に挙げる実施形態は例示であり、本発明は以下の実施形態の構成に限定されない。
【００１４】
まず初めに、本実施形態の概要について説明する。
本実施形態に係る香気変動表示方法は、対象物の外観の経時変化を示す第一動画と該対象物に対応する香気成分の量又は比率の経時変化をグラフ形式で示す第二動画とが時系列が対応付けられて再生される表示を出力する。
本実施形態において上記「対象物」は、香気を連想させる物であれば、その具体的な物は制限されない。当該「対象物」として、後述するように、時間の経過に伴って、形状と色と模様と大きさとの少なくとも一つが変動する芳香植物が例示される。この芳香植物の一部の花、葉、根、又は果実が当該「対象物」とされてもよい。当該「対象物」は、植物のみに限定されず、人や動物が着用する衣類や、人や動物により利用される生活用品、風景などであってもよい。
【００１５】
「第一動画」及び「第二動画」は、動きのある画像を意味する。このため、「第一動画」及び「第二動画」は、個々に再生可能な動画となっていてもよいし、一動画の中の、個々の部分的な動画領域となっていてもよい。
「第一動画」は、対象物の外観を何らかの方法で撮影されることで得られる動画であってもよいし、対象物の外観映像に何らかの画像処理を施すことで得られる動画であってもよい。前者としては、例えば、可視光線、遠中近赤外線、Ｘ線などの撮像により得られる動画がある。後者としては、例えば、対象物の外観画像にその対象物から生ずる香気成分や他の何らかの成分の経時変化を示す画像を合成して得られる動画がある。
「第二動画」により示される「対象物に対応する香気成分」は、第一画像で示される対象物と何らかの関係性がある香気成分であればよい。即ち、当該「対象物に対応する香気成分」は、第一画像で示される対象物自体から実際に採取された香気成分であってもよいし、第一画像で示される対象物と物としては異なるが同種の対象物から採取された香気成分であってもよいし、第一画像で示される対象物から連想される香気成分であってもよい。
「第二動画」は、香気成分の量又は比率の経時変化をグラフ形式で示す動きのある画像である。このため、「第二動画」は、香気成分の量又は比率が時間経過に伴って動的に変化する動画であってもよいし、静的に示される香気成分の量又は比率に対して時間の経過を動的に示す動画であってもよい。前者としては、円グラフや帯グラフにおける香気成分値を示す領域が動的に変化する動画が例示され、後者としては、縦軸に香気成分値を示し横軸に時間を示す折れ線グラフにおいて時刻を示すマークが動的に横軸上を動いていく動画が例示される。
また、第二動画で示される香気成分の比率とは、同一香気成分における或る基準値（最大値など）に対する比率であってもよいし、香気成分間の相対的な比率であってもよい。また、香気成分の比率は、ニオイの感度を加味したニオイ強度を示す値であってもよい。
【００１６】
「第一動画」と「第二動画」との「時系列が対応付けられる」とは、第一動画の時間軸と第二動画の時間軸とが何らかの関係性をもって対応付けられることを意味する。このため、両動画は、現実の時刻を用いた共通時間軸で同期されてもよいし、異なる年、月又は日の同時刻で対応付けられてもよい。
また、本実施形態における表示の出力方法は制限されない。当該表示は、テレビ、モニタ、ヘッドマウントディスプレイなどの表示装置に出力されてもよいし、プロジェクタを用いて壁などに投影されてもよい。
【００１７】
本実施形態によれば、上述のような表示を出力することにより、見る者は、対象物の外観変化と香気成分の変動とを容易に関連付けることができ、香気成分の変動を直感的に把握することができる。これにより、例えば、調香師は、対象物の外観の或る状態に対応する香気成分の量又は比率を直感的に把握することができ、香気開発のための動機づけ及びインスピレーションを得やすくなることが期待される。
また、本実施形態としては、上述の表示を表示装置に出力させる情報処理装置及び上述の表示の出力をコンピュータに実行させるプログラムが実現され得る。
【００１８】
以下、本実施形態についてより詳細に説明する。以下の説明では、上述の「第一動画」を外観動画と表記し、「第二動画」をモーショングラフと表記する。また、「香気成分の量又は比率」を香気成分値と表記する。
【００１９】
〔香気変動表示方法〕
図１は、本実施形態に係る香気変動表示方法（以下、本方法とも表記される）を示すフローチャートである。
本方法は、工程（Ｓ１１）、工程（Ｓ１３）、工程（Ｓ１５）、工程（Ｓ１７）、工程（Ｓ１９）、工程（Ｓ２１）、工程（Ｓ２３）、及び工程（Ｓ２５）を含む。
【００２０】
工程（Ｓ１１）は、対象物の外観動画の画像データを取得する工程である。図１の例では、本方法は、当該画像データとして、対象物を一定間隔で連続撮影することで得られた静止画群を取得する。当該「一定間隔」は、任意であってもよいし、予め決められていてもよいし、後述するように香気成分値のサンプリング間隔に基づいて決められてもよい。
また、本方法は、工程（Ｓ１１）において、スローモーション撮影やタイムラプス撮影などにより撮影された動画データを当該画像データとして取得してもよいし、通常の動画撮影により得られた動画データを取得してもよい。工程（Ｓ１１）において外観動画としてそのまま利用可能な動画データが取得された場合には、工程（Ｓ２１）は省かれてもよい。
【００２１】
本方法が後述する情報処理装置のようなコンピュータにより実行される場合には、工程（Ｓ１１）は、自動で実行されてもよいし、ユーザの操作に基づいて実行されてもよい。工程（Ｓ１１）が自動で実行される場合、コンピュータは、カメラから通信により外観動画の画像データを取得することができる。また、コンピュータは、ユーザの操作に基づいて、可搬型記録媒体や他のコンピュータなどから、当該画像データを取得することもできる。
【００２２】
工程（Ｓ１３）は、対象物に対応する香気成分値の時系列データを取得する工程である。
香気成分値の時系列データとは、香気成分値と時刻情報とが関連付けられたデータである。
本方法が後述する情報処理装置のようなコンピュータにより実行される場合には、工程（Ｓ１３）は、ユーザの操作に基づいて実行可能である。例えば、コンピュータは、ユーザの操作に基づいて、可搬型記録媒体や他のコンピュータなどから、当該時系列データを取得することができる。また、コンピュータ上のファイルにユーザが当該時系列データを手入力することで、コンピュータは、当該時系列データのファイルを取得することができる。
【００２３】
本実施形態では、工程（Ｓ１１）で取得された画像データが示す対象物から採取された香気を分析して得られた香気成分値が用いられる。更に言えば、その香気の採取は、当該画像データを得るための対象物の撮影期間中に、所定のサンプリング周期で行われる。これにより、共通の時間軸で共通の対象物から採取された香気成分値の変動と外観変化との対応を見せることができる。言い換えれば、見る者に、対象物の実際の外観変化とその対象物からそのとき実際に放出されていた香気成分の変動とのリアルな対応関係を見せることができ、結果として、より強いインスピレーションを与えることができる。
【００２４】
対象物からの香気の採取方法については様々な方法が利用可能である。例えば、対象物から吸引して香気採取管内の吸着材に香気を吸着させることで、香気を採取することができる。この場合、所定のサンプリング周期で香気採取管を交換することで、サンプリング時刻ごとに香気採取管をそれぞれ取得し、各香気採取管から香気を加熱脱着し、ガスクロマトグラフ質量分析器に導入することにより、サンプリング時刻ごとに解析対象となる香気成分値を得ることができる。
【００２５】
工程（Ｓ１５）は、工程（Ｓ１３）で取得された香気成分値の時系列データのデータ補間を行う工程である。ここでのデータ補間方法には、ラグランジュ補間、スプライン補間、ベジェ曲線補間、最小二乗法を用いたデータ補間など公知のデータ補間方法が用いられればよい。但し、香気成分のサンプリング周期が十分に短いなどデータ補間が不要な場合には、工程（Ｓ１５）は省いてもよい。
以下の工程では、工程（Ｓ１３）で取得された香気成分値の時系列データに、工程（Ｓ１５）で補間された香気成分値を加えた時系列データが利用される。以下、この時系列データを単に、香気成分値の時系列データと表記する。
【００２６】
工程（Ｓ１７）は、補間されたデータを含む香気成分値の時系列データを用いて、香気成分値のグラフを生成する工程である。工程（Ｓ１７）では、複数種の香気成分を示す軸を含むグラフが、当該時系列データに含まれる各香気成分の値の数分生成される。
工程（Ｓ１７）で生成されるグラフのタイプは、香気成分毎の固有の（ユニークな）位置で各香気成分値をそれぞれ示すものが好ましい。言い換えれば、工程（Ｓ１７）では、異なる香気成分の香気成分値どうしが完全に重なってしまう可能性のあるグラフタイプ（例えば、折れ線グラフなど）以外のグラフタイプが選択されることが好ましい。例えば、当該グラフとしては、棒グラフ、バブルチャート、円グラフ、レーダーチャートなどがある。このような、香気成分毎の固有の（ユニークな）位置で各香気成分値を示すグラフによれば、香気成分毎に区別して香気成分値を把握し易くなる。
また、香気成分毎の固有の位置を香気成分毎の特性に応じて決めたグラフであってもよい。例えば、一つの軸に飽和蒸気圧（ｍｍＨｇ）、他の軸に香気感度閾値（ｎｇ／Ｌａｉｒ）を取ったバブルチャートがある。このようなグラフタイプによれば、調香師に香気成分の特性を加味させながら香気成分の変動を把握させることができる。
【００２７】
工程（Ｓ１９）は、工程（Ｓ１７）で生成されたグラフ群を用いて、香気成分値のモーショングラフを生成する工程である。生成されるモーショングラフは、香気成分毎の固有の位置で各香気成分の量又は比率をそれぞれ示すグラフ（工程（Ｓ１７）で生成されたグラフ）を時系列で動的に変化させる動画であることが好ましい。
例えば、本方法は、工程（Ｓ１９）において、工程（Ｓ１７）で生成された各グラフを画像データとして保存し、各画像データを時系列に並べて動画化することにより、モーショングラフを生成する。画像データの動画化手法には公知の手法が用いられればよい。例えば、画像データごとの再生時間又はトータルの再生時間を設定することで、各画像が所定時間表示され切り替えられるといった動画を作成することができる。
【００２８】
工程（Ｓ２１）は、工程（Ｓ１１）で取得された画像データを用いて、外観動画を生成する工程である。
工程（Ｓ１１）において対象物を一定間隔で連続撮影することで得られた静止画群が取得された場合には、各静止画を時系列に並べて工程（Ｓ１９）と同様の手法により動画化することで、外観動画を生成することができる。このとき、取得された静止画群を間引いて画像数を減少させた上で、動画化してもよい。
また、工程（Ｓ１１）において通常撮影により得られた動画データが当該画像データとして取得された場合には、必要に応じて、その動画データからフレーム間引きを行い（フレームレートを落として）、外観動画とすることもできる。
【００２９】
工程（Ｓ２３）は、工程（Ｓ１９）で生成されたモーショングラフと工程（Ｓ２１）で生成された外観動画とを同時再生可能とする工程である。
例えば、モーショングラフと外観動画とが別々の動画ファイルとして生成されている場合、二つの動画ファイルが同時に再生され得るようにする。このとき、二つの動画ファイルを含む又は各動画ファイルとリンクが張られた、一つのファイルが生成されてもよい。或る一つの所定契機（例えば、所定のユーザ操作の検出など）で各動画ファイルがそれぞれ再生されるようにすることは一般的なソフトウェア処理で実現可能である。
【００３０】
図１の例では、モーショングラフと外観動画とが別工程でそれぞれ生成されたが、両動画が一つの動画ファイルの局所領域に表示されるように当該一つの動画ファイルが生成されてもよい。この場合には、工程（Ｓ１９）と工程（Ｓ２１）とが一工程に統合されればよい。そして、時刻ごとに画像データと工程（Ｓ１７）で生成されたグラフとを並べた一つの静止画とし、その静止画を時系列に並べて動画化することにより、モーショングラフと外観動画とを局所領域で表示可能な一つの動画ファイルを生成することができる。この場合、工程（Ｓ２３）は実行されなくてもよい。
【００３１】
ここで、工程（Ｓ１１）で取得された画像データと工程（Ｓ１３）で取得された時系列データとの時系列が対応付いている場合、工程（Ｓ１９）で生成されたモーショングラフと工程（Ｓ２１）で生成された外観動画とについても、自然に、相互に時系列が対応付いた状態となっている。このため、両動画を同時再生することにより、両動画は時系列が対応付けられて再生されることになる。
モーショングラフが、外観動画を形成する対象物の画像の撮影期間中に、所定のサンプリング周期でその対象物から採取された香気成分値に基づいて生成されている場合、同時再生によりモーショングラフと外観動画とが共通の時間軸で同期して再生される。
【００３２】
工程（Ｓ２５）は、外観動画及びモーショングラフが同時再生される表示を一以上の表示装置に出力する工程である。この表示は、外観動画及びモーショングラフを同時に対比可能な状態で一以上の表示装置に出力されることが好ましい。
ここで、両動画を「同時に対比可能な状態で」出力の形態には、次のような形態があり得る。例えば、一つの表示装置の表示領域に両動画を並べて同時に出力する形態、隣接配置されている二つの表示装置の各表示領域にそれぞれ一つの動画を同時に出力する形態、一方の動画の透過率を上げた状態で一つの表示装置の表示領域に両動画を重ねて同時に出力する形態、一つの表示装置の表示領域に両動画を時間差で切り替えながら出力する形態などである。
【００３３】
図２は、本実施形態における香気変動表示の例を示す図である。
図２の例では、外観動画ＡＭとモーショングラフＭＧが隣接表示されている。また、バラの花が対象物とされており、１２種の香気成分「Ｒｏｓｅ  Ｏｘｉｄｅ」、「Ｃｉｔｒｏｎｅｌｌａｌ」、「Ｌｉｎａｌｏｏｌ」、「Ｐｈｅｎｙｌ  ａｃｅｔａｌｄｅｈｙｄｅ」、「Ｃｉｔｒｏｎｅｌｌｙｌ Ａｃｅｔａｔｅ」、「Ｃｉｔｒａｌ」、「Ｇｅｒａｎｙｌ  Ａｃｅｔａｔｅ」、「Ｃｉｔｒｏｎｅｌｌｏｌ」、「Ｎｅｒｏｌ」、「Ｇｅｒａｎｉｏｌ」、「Ｐｈｅｎｙｌ  Ｅｔｈｙｌ  Ａｌｃｏｈｏｌ」、「Ｍｅｔｈｙｌ  Ｅｕｇｅｎｏｌ」が解析対象とされている。
モーショングラフＭＧでは、横軸に１２種の香気成分が示され、縦軸に香気成分値が示されている。そして、香気成分ごとの最大値を１００％とする各値の割合が香気成分値とされている。
【００３４】
本表示では、外観動画ＡＭにおいてバラがつぼみの状態から開花する様子が動的に表示されると共に、モーショングラフＭＧにおいてそのバラから外観動画ＡＭと共通の時間軸で採取された１２種の香気成分の各値の変動が動的に表示される。言い換えれば、図２の例のモーショングラフＭＧでは、香気成分ごとの棒の長さが動的に変化する様子が示される。
このため、図２には、或る時刻におけるバラの花の外観とそのバラの花から採取された香気成分値の分布とがスポット的に示されている。
【００３５】
本実施形態によれば、図２のような表示を出力することにより、見る者は、バラの花の開花の様子とそれに対応する香気成分の変動とを容易に関連付けることができ、バラの花から発せられる香気成分の変動を直感的に把握することができる。これにより、例えば、調香師は、バラの花の開花状態に対応する香気成分値の分布を直感的に把握することができ、香気開発のための動機づけ及びインスピレーションを得やすくなることが期待される。
また、外観動画は、時間の経過と共に、花植物が開花する様子又は果実が成熟する様子を示し、モーショングラフにより示される香気成分には、その香気成分値が時間の経過と共に周期的に増減しつつ開花又は成熟に向けて増加する傾向を示す香気成分が含まれてもよい。このような表示によれば、蕾から開花に向けて又は果実の成熟に向けて香気成分値が増加することを示すだけでなく、開花状態又は成熟状態においても香気成分値が時間の経過に伴って変動する様子を示すことができるため、調香師に動機づけ及びインスピレーションを与えることができる。
【００３６】
図１に示されるフローチャートでは、複数の工程が順番に記載されているが、本実施形態で実行される工程の実行順序は、その記載の順番に制限されない。本実施形態では、図示される工程の順番を内容的に支障のない範囲で変更することができる。例えば、工程（Ｓ１１）と工程（Ｓ１３）とは逆順にされてもよいし同時に実行されてもよい。また、外観動画の生成（工程（Ｓ２１））とモーショングラフの生成（工程（Ｓ１９）とも逆順にされてもよいし同時に実行されてもよい。
【００３７】
〔情報処理装置〕
次に、本実施形態に係る香気変動表示方法を実行する情報処理装置（以降、本実施形態に係る情報処理装置と表記する）について図３及び図４を用いて説明する。
図３は、本実施形態の情報処理装置１０のハードウェア構成例を概念的に示す図である。
情報処理装置１０は、いわゆるコンピュータであり、例えば、バスで相互に接続される、ＣＰＵ（Central Processing Unit）１１、メモリ１２、入出力インタフェース（Ｉ／Ｆ）１３、通信ユニット１４等を有する。情報処理装置１０を形成する各ハードウェア要素の数はそれぞれ制限されず、これらハードウェア要素は情報処理回路と総称することもできる。また、情報処理装置１０は、図３に図示されないハードウェア要素を含んでもよく、そのハードウェア構成は制限されない。
【００３８】
ＣＰＵ１１は、一般的なＣＰＵ以外に、特定用途向け集積回路（ＡＳＩＣ）、ＤＳＰ（Digital Signal Processor）、ＧＰＵ（Graphics Processing Unit）等で構成してもよい。
メモリ１２は、ＲＡＭ（Random Access Memory）、ＲＯＭ（Read Only Memory）、補助記憶装置（ハードディスク等）である。
入出力Ｉ／Ｆ１３は、出力装置１５、入力装置１６等のユーザインタフェース装置と接続可能である。出力装置１５は、ＬＣＤ（Liquid Crystal Display）やＣＲＴ（Cathode Ray Tube）ディスプレイのような、ＣＰＵ１１等により処理された描画データに対応する画面を表示する装置、印刷装置などの少なくとも一つである。また、出力装置１５は、当該描画データに対応する表示を投影するプロジェクタ装置であってもよい。入力装置１６は、キーボード、マウス等のようなユーザ操作の入力を受け付ける装置である。出力装置１５及び入力装置１６は一体化され、タッチパネルとして実現されてもよい。
通信ユニット１４は、他のコンピュータとの通信網を介した通信や、他の機器との信号のやりとり等を行う。通信ユニット１４には、可搬型記録媒体等も接続され得る。また、通信ユニット１４には、外観動画のために対象物を撮影するカメラ（図示せず）が接続されてもよい。
また、情報処理装置１０、カメラを内蔵する機器であってもよい。
【００３９】
図４は、本実施形態に係る情報処理装置１０の処理構成例を概念的に示す図である。
情報処理装置１０は、第一取得部２１、第二取得部２２、動画生成部２３、出力処理部２４等を有する。これら処理モジュールは、ソフトウェア要素であり、例えば、メモリ１２に格納されるプログラムがＣＰＵ１１により実行されることにより実現される。このプログラムは、例えば、ＣＤ（Compact Disc）、メモリカード等のような可搬型記録媒体やネットワーク上の他のコンピュータから入出力Ｉ／Ｆ１３又は通信ユニット１４を介してインストールされ、メモリ１２に格納されてもよい。
情報処理装置１０は、第一取得部２１、第二取得部２２、動画生成部２３、及び出力処理部２４の動作により上述の香気変動表示方法を実行する。換言すれば、情報処理装置１０は、インストールされたプログラムを実行することにより上述の香気変動表示方法を実行することができる。
【００４０】
第一取得部２１は、対象物の外観の経時変化を示す外観動画の画像データを取得する。即ち、第一取得部２１は、上述の工程（Ｓ１１）を実行する。取得される「画像データ」及びこの画像データに関する「対象物」については上述したとおりである。即ち、対象物としては、時間の経過に伴って、形状と色と模様と大きさとの少なくとも一つが変動する芳香植物が例示される。
第一取得部２１は、当該画像データを外部のコンピュータ、機器、可搬型記録媒体などから入出力Ｉ／Ｆ１３又は通信ユニット１４を介して取得することができる。
【００４１】
第二取得部２２は、対象物の香気成分の量又は比率（香気成分値）の時系列データを取得する。即ち、第二取得部２２は、上述の工程（Ｓ１３）を実行する。取得された「時系列データ」及びこの時系列データに関する「対象物」については上述したとおりである。よって、第二取得部２２により取得された当該時系列データは、外観動画の画像データの取得のための対象物の撮影期間中に、所定のサンプリング周期でその対象物から採取された香気を分析して得られた香気成分値を含んでもよい。この香気成分値の分析抽出手法についても上述したとおりである。
第二取得部２２は、当該時系列データを外部のコンピュータ、機器、可搬型記録媒体などから入出力Ｉ／Ｆ１３又は通信ユニット１４を介して取得することができる。また、第二取得部２２は、ユーザが入力装置１６を操作して入力した当該時系列データをファイルとしてメモリ１２に格納し、このファイルを用いることもできる。
【００４２】
更に、第二取得部２２は、必要に応じて、上述のように取得された時系列データをデータ補間してもよい。即ち、第二取得部２２は、上述の工程（Ｓ１５）を実行してもよい。データ補間手法については上述したとおりである。
【００４３】
動画生成部２３は、第二取得部２２により取得された時系列データ（補間された値を含む）に基づいて、時刻毎に香気成分値を示すグラフをそれぞれ生成し、生成されたグラフを用いて、香気成分値の経時変化をグラフ形式で示すモーショングラフを生成する。即ち、動画生成部２３は、上述の工程（Ｓ１７）及び工程（Ｓ１９）を実行する。グラフの生成手法及びモーショングラフの生成手法については上述したとおりである。また、「モーショングラフ」自体についても上述したとおりであり、香気成分毎の固有の位置で各香気成分値をそれぞれ示すグラフを時系列で動的に変化させる動画であることが望ましい。
【００４４】
更に、動画生成部２３は、第一取得部２１で取得された画像データに基づいて、外観動画を生成することもできる。即ち、動画生成部２３は、上述の工程（Ｓ２１）を実行してもよい。但し、第一取得部２１によりそのまま外観動画として使える動画データが取得された場合には、動画生成部２３は、外観動画の生成処理を実行しなくてもよい。「外観動画」及びその生成手法については上述したとおりである。
【００４５】
出力処理部２４は、外観動画とモーショングラフとが対応付けられて再生される表示を出力装置１５（表示装置）に出力する。即ち、出力処理部２４は、上述の工程（Ｓ２３）及び工程（Ｓ２５）を実行する。
これにより、モーショングラフが、外観動画を形成する対象物の画像の撮影期間中に、所定のサンプリング周期でその対象物から採取された香気成分値に基づいて生成されている場合、同時再生によりモーショングラフと外観動画とが共通の時間軸で同期して再生される。
また、出力処理部２４は、上記表示を外観動画及びモーショングラフを同時に対比可能な状態で一以上の出力装置１５（表示装置）に出力することが好ましい。両動画を「同時に対比可能な状態で」出力の形態については上述したとおりである。
【００４６】
上述した情報処理装置１０の各処理モジュールは、自発的に動作してもよいし、入力装置１６を用いた所定のユーザ操作の検出を契機として動作してもよい。
【００４７】
［補足］
ここで、香気成分値のサンプリング周期と外観動画を形成する隣接フレーム間の撮影時間幅との関係について補足説明する。
まず、撮影時間幅は、サンプリング周期よりも短くすることが好ましい。このようにすることで、外観の経時変化に追従して香気成分値の変動を見ることができる。
更に言えば、サンプリング周期と撮影時間幅とは、相関関係を持つように決められることが好ましい。例えば、サンプリング周期が日単位又は週単位であるにも関わらず、ハイスピードカメラなどを利用して撮影時間幅が１／１００（秒）以下とされた場合には、香気成分値の変動表示スピードが緩くなり過ぎるなど、香気成分値の変動と外観の経時変化とが把握し難くなる。
【００４８】
そこで、外観動画を形成する隣接フレーム（静止画データ）間の撮影時間幅は、香気成分値のサンプリング周期以下、かつ、サンプリング周期の１２０分の１以上に設定されることが好ましい。これは、香気成分値の変動と外観の経時変化との関係を把握し易くするために、香気成分値の実測値表示スピードを２秒以内とするための一つの指標である。香気成分値の実測値表示スピードが２秒以内とは、１個の香気成分値の実測値を２秒間よりも長く表示しないようにする、即ち、１個の香気成分値の実測値の表示が２秒以内に切り替わるようにすることを意味する。
【００４９】
以下、撮影時間幅とサンプリング周期との関係（１２０分の１）と、香気成分値の実測値表示スピードとの関係について、例を挙げながら説明する。まず、動画再生レートを現時点での最高水準の６０ｆｐｓに設定し、サンプリング期間及び撮影期間を１時間とし、３０秒の動画（外観動画とモーショングラフ）を生成することを考える。
３０秒の動画を生成するのに、１８００枚の画像データ（静止画）が撮像されることが好ましく、上記関係によれば、香気成分値の実測値は１５個以上取得されることが好ましい。サンプリング期間が１時間であるため、サンプリング周期は４分以下に設定され、撮影期間が１時間であるため、撮影時間幅は２秒に設定される。
即ち、撮影時間幅は、サンプリング周期の１２０分の１（＝２／２４０）以上に設定されることが好ましい。
なお、「１２０分の１」という値は、動画再生レートに依存するため、上記例において動画再生レートが３０ｆｐｓ（通常のテレビレベル）と仮定した場合には、撮影時間幅は、サンプリング周期の６０分の１（＝４／２４０）以上に設定されることが好ましいこととなる。この「６０分の１」という値も当然に「１２０分の１以上」という範囲に属している。
【００５０】
［変形例］
本実施形態に係る香気変動表示方法によれば、上述したように、調香師が香気開発のための動機づけ及びインスピレーションを得やすくなることが期待される。更に言えば、調香師により開発された香気が賦香された製品と、その香気の開発時に調香師が動機づけ又はインスピレーションを受けた対象物の外観又は香気成分分布とを対応付けることができる。この対応付けを消費者に提示することにより、その製品の宣伝効果も期待される。
そこで、外観動画及びモーショングラフが同時再生される表示における、再生されている外観動画とモーショングラフとのいずれか一方又は両方において、対象製品の香気（ニオイ）に対応する複数種の香気成分の量又は比率がモーショングラフで示されるタイミングを提示するようにしてもよい。
ここでの「対象製品」とは、モーショングラフで示される香気成分分布と何らかの関係性を有する製品であり、例えば、上述したように、その香気成分分布から想起された香気が賦香された製品である。
「タイミングの提示」の手法には様々な手法がある。例えば、対象商品に対応する香気成分分布が表示されるタイミングで外観動画及びモーショングラフの再生を所定時間停止させる手法がある。また、対象商品に対応する香気成分分布が表示されるタイミングで当該表示の少なくとも一部を変色させたり装飾を付加したりする手法もある。
【００５１】
図５は、変形例における香気変動表示を示す図である。図５の例では、外観動画ＡＭとモーショングラフＭＧとに加えて、対象製品の画像ＰＤが更に表示されている。そして、対象商品に賦香された香気に対応する香気成分分布がモーショングラフＭＧで示されたタイミングで、外観動画ＡＭ及びモーショングラフＭＧの再生が一定時間停止される。更に、図５の例では、そのとき、「本製品に対応する香気成分分布を示す瞬間」という文字列ＭＫ２が表示され、更に、外観動画ＡＭの撮影時間表示に枠ＭＫ１が表示されている。
これにより、対象製品と香気成分分布又は外観との関係を分かり易く提示することができるため、見た者に対象製品に対する興味を抱かせることでき、対象製品の宣伝効果を期待することができる。
【００５２】
以下に実施例を挙げ、上述の内容を更に詳細に説明する。上述の実施形態は、以下の実施例の記載に限定されない。
【実施例】
【００５３】
本実施例では、農園より購入したバラ（品種：カザンリク）が上記対象物として用いられた。そして、このバラの花の開花直前の蕾の状態から開花する様子が４２時間に亘り撮影されると共に、その撮影の間（４２時間）、そのバラの花から所定のサンプリング周期（２時間毎に）で香気が採取された。
撮影では、タイムラプス撮影が可能なデジタルカメラが用いられ、３分毎に花の様子がタイムラプス撮影された。これにより、本実施例では、撮影時間幅３分の８４０枚の静止画が取得された（工程（Ｓ１１））。
【００５４】
一方で、香気採取のために、バラの蕾がガラスカバーで覆われ、そのカバーの開口部に香気採取管が取り付けられた。香気採取管には吸引ポンプが取り付けられており、そのポンプにより流速１００ｍＬ／ｍｉｎで吸引することで、バラの香気が採取管内部の吸着剤に吸着された。香気採取管が２時間毎に交換され、４２時間で合計２１本の香気採取管が取得された。なお、バラを置いた部屋の室温は２６度、湿度は６０％ＲＨに設定された。
取得された各香気採取管から加熱脱着装置を用いて香気を加熱脱着し、ガスクロマトグラフ質量分析器（ＧＣ−ＭＳ）に導入した。得られたクロマトグラム（トータルイオンクロマトグラム、ＴＩＣ）から解析対象とする各香気成分についてのピーク面積が算出され、各香気成分についてその成分の最大値に対する割合が香気成分値として算出された。
本実施例では、図６に示されるように、解析対象とする香気成分として、１２種の香気成分「Ｒｏｓｅ  Ｏｘｉｄｅ」、「Ｃｉｔｒｏｎｅｌｌａｌ」、「Ｌｉｎａｌｏｏｌ」、「Ｐｈｅｎｙｌ  ａｃｅｔａｌｄｅｈｙｄｅ」、「Ｃｉｔｒｏｎｅｌｌｙｌ Ａｃｅｔａｔｅ」、「Ｃｉｔｒａｌ」、「Ｇｅｒａｎｙｌ  Ａｃｅｔａｔｅ」、「Ｃｉｔｒｏｎｅｌｌｏｌ」、「Ｎｅｒｏｌ」、「Ｇｅｒａｎｉｏｌ」、「Ｐｈｅｎｙｌ  Ｅｔｈｙｌ  Ａｌｃｏｈｏｌ」、「Ｍｅｔｈｙｌ  Ｅｕｇｅｎｏｌ」が解析対象とされた。
図６は、採取された香気成分の実測値の時系列データを示す表である。図６の例では、各香気成分値は、その香気成分の最大値に対する百分率でそれぞれ示されている。例えば、香気成分「Ｇｅｒａｎｙｌ  Ａｃｅｔａｔｅ」については、最後の１３時に最大値（１００％）となり、他の時刻ではそれよりも低い値となっている。
本実施例では、上述の工程（Ｓ１３）において図６に示される時系列データが取得される。
【００５５】
更に、図６に示される時系列データに対してデータ補間が施された（工程（Ｓ１５））。本実施例では、データ補間方法として３次スプライン補間法が用いられ、その補間データは、市販のソフトウェアで算出された。
【００５６】
続いて、補間データを含む香気成分値の時系列データが市販のソフトウェアを用いてグラフ化された。本実施例では、棒グラフとバブルチャートとの２種のグラフが生成され、生成されたグラフは画像ファイルとして出力された（工程（Ｓ１７））。
更に、その画像ファイル群が市販のソフトウェアを用いて動画化されることで、約２８秒間の２種（棒グラフとバブルチャート）のモーショングラフが生成された（工程（Ｓ１９）。
一方で、８４０枚の静止画像が市販のソフトウェアを用いて動画化され、約２８秒間の外観動画が生成された（工程（Ｓ２１））。
【００５７】
本実施例では、上述のように、モーショングラフと外観動画とが別々の動画ファイルとして生成され、それらが市販のソフトウェアを用いて１枚のスライド上に並べて配置され、１画面において同時再生できるように構成された（工程（Ｓ２３））。
そして、そのスライドがＰＣ（Personal Computer）のディスプレイに表示されることで、図７Ａ及び図７Ｂに示されるような表示が出力された（工程（Ｓ２５））。
図７Ａ及び図７Ｂは、本実施例における棒グラフのモーショングラフとバラの外観動画との同時再生の表示を示す図である。図８は、本実施例におけるバブルチャートのモーショングラフとバラの外観動画との同時再生の表示を示す図である。
図７Ａ及び図７Ｂの例では、外観動画ＡＭには、バラの画像に加えて撮影時刻が表示されており、経時状況を見ることができるようになっている。また、棒グラフの長さによって各香気成分値の大きさが示され、バブルチャートのバブルの大きさによって各香気成分値の大きさが示されている。
【００５８】
各図で示される表示によれば、外観動画ＡＭとモーショングラフＭＧとを容易に対比することができ、バラが開花されるにつれて、各香気成分値が増加又は減少し、香気成分の比率が変化していく様子を直感的に把握することができる。また、図７Ｂに示されるように、目視では同程度と判別される開花状態であっても、時刻によって香気成分値の分布が異なることも容易に把握することができる。
ここで、図８のバブルチャートは、縦軸に飽和蒸気圧（ｍｍＨｇ）を示し、横軸に香気感度閾値（ｎｇ／Ｌａｉｒ）を示し、各バブルの半径を揮散量としたバブルチャートであってもよい。そのようなバブルチャートによれば、飽和蒸気圧が高くかつ香気感度閾値が高い領域（主に、トップノートに寄与する成分）、反対に飽和蒸気圧が低くかつ香気感度閾値が低い領域（主に、ラストノート（残香）に寄与する成分）、さらに飽和蒸気圧は高いが香気感度閾値は低い領域（主に、トップ〜ミドルノートに寄与する成分）、一方飽和蒸気圧が低いが香気感度閾値の高い領域（主に、多量に使用してミドル〜ラストノートに寄与する成分）などというように香気成分毎の特性に応じた位置で各香気成分値（揮散量）がバブルの大きさで示されるため、調香師に香気成分の特性を加味させながら香気成分の変動を把握させることができる。なお、香気成分ごとの飽和蒸気圧及び香気感度閾値については公知の情報が利用されればよい。
【００５９】
更に、本発明者らは、上述のように取得されたバラの花の香気成分値の時系列データ及び静止画像群を用いて、上述の本実施形態の効果を検証した。具体的には、８タイプの表示を二人の調香師に見せ、その後、各表示について、動機付け又はインスピレーションなどの香気創作のヒントを受ける度合を各調香師にそれぞれ評価させた。
８タイプの表示は、以下のとおり。
・タイプ１：香気成分値の一覧表（図６の表）とバラの花の静止画像（開花時）とが並ぶ表示。
・タイプ２：香気成分値の一覧表（図６の表）とバラの花の外観動画とが並ぶ表示。
・タイプ３：香気成分値の折れ線グラフとバラの花の静止画像（開花時）とが並ぶ表示。
・タイプ４：香気成分値の折れ線グラフとバラの花の外観動画とが並ぶ表示。
・タイプ５：棒グラフのモーショングラフとバラの花の静止画像（開花時）とが並ぶ表示。
・タイプ６：棒グラフのモーショングラフとバラの花の外観動画とが並ぶ表示。
・タイプ７：バブルチャートのモーショングラフとバラの花の静止画像（開花時）とが並ぶ表示。
・タイプ８：バブルチャートのモーショングラフとバラの花の外観動画とが並ぶ表示。
８タイプの表示のうち、タイプ６及び８が本実施形態の香気変動表示に相当し、その他のタイプは比較例に相当する。
図９は、比較例としての香気成分値の一覧表（図６の表）とバラの花の外観動画とが並ぶ表示（タイプ２）を示す図である。図１０は、比較例としての香気成分値の折れ線グラフとバラの花の外観動画とが並ぶ表示（タイプ４）を示す図である。
折れ線グラフは、図１０に示されるように、横軸に時間を示し、縦軸に香気成分値を示し、１２種の香気成分がそれぞれ異なるマークで示されている。
【００６０】
図１１は、調香師の評価結果を示す図である。図１１において各調香師の評価は、香気の創作のヒントを受ける度合が５段階（１点から５点）で示されている。
図１１に示されるように、比較例については「分かりづらい」、「見づらい」といったコメントと低い評価（３点以下）が多いが、本実施形態に対応するタイプ６及び８については、「興味がわく」、「ヒントを得そう」といったコメントと高い評価（４点以上）が付されている。
この評価結果により、本実施形態のようにモーショングラフと外観動画とを同時再生する表示が、他の表示形態に比べて、香気成分の変動を直感的に把握することが容易であること、視覚情報のみにより調香師が動機付け及びインスピレーションを得るための十分な支援になることが実証された。例えば、表示する香気成分のうち増減が少ない香気成分についてはベースとなる香気成分とし、増減が激しい香気成分についてはアクセントとして用いるといった香気創作のヒントを調香師に与えることができる。
【００６１】
上記の内容の一部又は全部は、次のようにも特定され得る。但し、上述の内容が以下の記載に制限されるものではない。
【００６２】
＜１＞対象物の外観の経時変化を示す第一動画と該対象物に対応する香気成分の量又は比率の経時変化をグラフ形式で示す第二動画とが時系列が対応付けられて再生される表示を出力する、
香気変動表示方法。
【００６３】
＜２＞前記第二動画は、香気成分毎の固有の位置で各香気成分の量又は比率をそれぞれ示すグラフを時系列で動的に変化させる動画である、
＜１＞に記載の香気変動表示方法。
＜３＞前記対象物は、時間の経過に伴って、形状と色と模様と大きさとの少なくとも一つが変動する芳香植物である、
＜１＞又は＜２＞に記載の香気変動表示方法。
＜４＞前記第二動画は、前記第一動画を形成する前記対象物の画像の撮影期間中に、所定のサンプリング周期で前記対象物から採取された香気を分析して得られた値に基づいて生成されており、
前記表示は、前記第一動画と前記第二動画とを共通の時間軸で同期して再生する、
＜１＞から＜３＞のいずれか一つに記載の香気変動表示方法。
＜５＞前記第二動画は、前記所定のサンプリング周期で得られた前記値及び該値をデータ補間することにより得られた値に基づいて生成されている、
＜４＞に記載の香気変動表示方法。
＜６＞前記第一動画を形成する隣接フレーム間の撮影時間幅は、前記所定のサンプリング周期の１２０分の１以上に設定される、
＜４＞又は＜５＞に記載の香気変動表示方法。
＜７＞前記第一動画は、時間の経過と共に、花植物が開花する様子又は果実が成熟する様子を示し、
前記第二動画により示される前記香気成分には、その量又は比率が時間の経過と共に周期的に増減しつつ開花又は成熟に向けて増加する傾向を示す香気成分を含む、
＜１＞から＜６＞のいずれか一つに記載の香気変動表示方法。
＜８＞前記表示は、前記第一動画及び前記第二動画を同時に対比可能な状態で一以上の表示装置に出力される、
＜１＞から＜７＞のいずれか一つに記載の香気変動表示方法。
＜９＞前記表示は、再生されている前記第一動画と前記第二動画との少なくとも一方において、対象製品の香気に対応する複数種の香気成分の前記量又は前記比率が前記第二動画で示されるタイミングを提示する、
＜１＞から＜８＞のいずれか一つに記載の香気変動表示方法。
＜１０＞対象物の外観の経時変化を示す第一動画の画像データを取得する第一取得手段と、
前記対象物の香気成分の量又は比率の時系列データを取得する第二取得手段と、
前記時系列データに基づいて、時刻毎に前記香気成分の量又は比率を示すグラフをそれぞれ生成し、生成されたグラフを用いて、前記香気成分の量又は比率の経時変化をグラフ形式で示す第二動画を生成する動画生成手段と、
前記第一動画と前記第二動画とが時系列が対応付けられて再生される表示を表示装置に出力する出力処理手段と、
を備える情報処理装置。
＜１１＞前記第二動画は、香気成分毎の固有の位置で各香気成分の量又は比率をそれぞれ示すグラフを時系列で動的に変化させる動画である、
＜１０＞に記載の情報処理装置。
＜１２＞前記対象物は、時間の経過に伴って、形状と色と模様と大きさとの少なくとも一つが変動する芳香植物である、
＜１０＞又は＜１１＞に記載の情報処理装置。
＜１３＞前記第二取得手段により取得される前記時系列データは、前記第一動画を形成する前記対象物の画像の撮影期間中に、所定のサンプリング周期で前記対象物から採取された香気を分析して得られた値を含み、
前記出力処理手段は、前記第一動画と前記第二動画とを共通の時間軸で同期して再生する前記表示を出力する、
＜１０＞から＜１２＞のいずれか一つに記載の情報処理装置。
＜１４＞前記第二取得手段は、前記所定のサンプリング周期で得られた前記値をデータ補間することにより、補間された値を含む前記時系列データを取得する、
＜１３＞に記載の情報処理装置。
＜１５＞前記第一動画は、時間の経過と共に花植物が開花する様子を示し、
前記第二動画により示される前記香気成分には、その量又は比率が時間の経過と共に周期的に増減しつつ開花に向けて増加する傾向を示す香気成分を含む、
＜１０＞から＜１４＞のいずれか一つに記載の情報処理装置。
＜１６＞前記出力処理手段は、前記表示を、前記第一動画及び前記第二動画を同時に対比可能な状態で一以上の前記表示装置に出力する、
＜１０＞から＜１５＞のいずれか一つに記載の情報処理装置。
【符号の説明】
【００６４】
１０  情報処理装置
１１  ＣＰＵ
１２  メモリ
１３  入出力Ｉ／Ｆ
１４  通信ユニット
１５  出力装置
１６  入力装置
２１  第一取得部
２２  第二取得部
２３  動画生成部
２４  出力処理部
【図１】
2018031882.tif 000003
【図２】
2018031882.tif 000004
【図３】
2018031882.tif 000005
【図４】
2018031882.tif 000006
【図５】
2018031882.tif 000007
【図６】
2018031882.tif 000008
【図７Ａ】
2018031882.tif 000009
【図７Ｂ】
2018031882.tif 000010
【図８】
2018031882.tif 000011
【図９】
2018031882.tif 000012
【図１０】
2018031882.tif 000013
【図１１】
2018031882.tif 000014